(57)【要約】【課題】  コンポジット映像信号及びコンポーネント映像信号の画質を向上させることができる映像信号処理装置を提供する。【解決手段】  輝度信号処理部１１Ｙの２次元Ｙ／Ｃ分離回路１４１，３次元Ｙ／Ｃ分離回路１５１はコンポジット映像信号Ｖｎ０より輝度信号Ｙｎ２，Ｙｎ３を分離する。セレクタ１９１は画像の動きに応じて輝度信号Ｙｎ２，Ｙｎ３を選択する。色復調回路２２１は色信号Ｃｎ２を色差信号に復調する。色差信号処理部１１CDの３次元処理回路２５１は色差信号ＣＤn0を３次元処理して色差信号ＣＤn3とする。セレクタ２７１は画像の動きに応じて色差信号ＣＤn0，ＣＤnを選択する。コンポーネント映像信号の輝度信号Ｙ０と色差信号Ｐｂ，Ｐｒも輝度信号処理部１１Ｙと色差信号処理部１１CDによって処理する。【選択図】      図１
2005176162.tif 000002
【特許請求の範囲】
【請求項１】
コンポジット映像信号を処理する映像信号処理装置において、
前記コンポジット映像信号を第１の輝度信号と色信号とに分離して出力する２次元Ｙ／Ｃ分離回路と、
前記コンポジット映像信号を所定フレーム期間遅延して出力する第１のフレームメモリと、
前記第１の輝度信号における画像の動きを検出する第１の動き検出回路と、
前記コンポジット映像信号と、前記コンポジット映像信号を前記第１のフレームメモリにより遅延した遅延コンポジット映像信号とを用いた３次元処理によって、前記コンポジット映像信号より前記第１の輝度信号と比較して画質妨害成分を除去した第２の輝度信号を分離して出力する３次元Ｙ／Ｃ分離回路と、
前記第１の動き検出回路より出力される動き検出信号に応じて、前記第１の輝度信号と前記第２の輝度信号とを選択的に出力する第１のセレクタと、
前記色信号を色復調して第１の色差信号を出力する色復調回路と、
前記第１の色差信号を所定フレーム期間遅延して出力する第２のフレームメモリと、
前記第１の色差信号における画像の動きを検出する第２の動き検出回路と、
前記第１の色差信号と、前記第１の色差信号を前記第２のフレームメモリにより遅延した遅延第１の色差信号とを用いた３次元処理によって、前記第１の色差信号から画質妨害成分を除去した第２の色差信号を出力する３次元処理回路と、
前記第２の動き検出回路より出力される動き検出信号に応じて、前記第１の色差信号と前記第２の色差信号とを選択的に出力する第２のセレクタとを備えて構成したことを特徴とする映像信号処理装置。
【請求項２】
コンポジット映像信号とコンポーネント映像信号とを選択的に入力する映像信号処理装置において、
前記コンポジット映像信号を第１の輝度信号と色信号とに分離して出力する２次元Ｙ／Ｃ分離回路と、
前記コンポジット映像信号または前記コンポーネント映像信号を構成する第２の輝度信号を所定フレーム期間遅延して出力する第１のフレームメモリと、
前記第１の輝度信号における画像の動きまたは前記第２の輝度信号における画像の動きを検出する第１の動き検出回路と、
前記映像信号処理装置に前記コンポジット映像信号が入力されたとき、前記コンポジット映像信号と、前記コンポジット映像信号を前記第１のフレームメモリにより遅延した遅延コンポジット映像信号とを用いた３次元処理によって、前記コンポジット映像信号より第３の輝度信号を分離して出力し、前記映像信号処理装置に前記コンポーネント映像信号が入力されたとき、前記第２の輝度信号と、前記第２の輝度信号を前記第１のフレームメモリにより遅延した遅延第２の輝度信号とを用いた３次元処理によって、前記第２の輝度信号から画質妨害成分を除去した第４の輝度信号を出力する３次元Ｙ／Ｃ分離回路と、
前記映像信号処理装置に前記コンポジット映像信号が入力されたとき、前記第１の動き検出回路より出力される動き検出信号に応じて、前記第１の輝度信号と前記第３の輝度信号とを選択的に出力し、前記映像信号処理装置に前記コンポーネント映像信号が入力されたとき、前記第１の動き検出回路より出力される動き検出信号に応じて、前記第２の輝度信号と前記第４の輝度信号とを選択的に出力する第１のセレクタと、
前記色信号を色復調して第１の色差信号を出力する色復調回路と、
前記第１の色差信号または前記コンポーネント映像信号を構成する第２の色差信号を所定フレーム期間遅延して出力する第２のフレームメモリと、
前記第１の色差信号における画像の動きまたは前記第２の色差信号における画像の動きを検出する第２の動き検出回路と、
前記映像信号処理装置に前記コンポジット映像信号が入力されたとき、前記第１の色差信号と、前記第１の色差信号を前記第２のフレームメモリにより遅延した遅延第１の色差信号とを用いた３次元処理によって、前記第１の色差信号から画質妨害成分を除去した第３の色差信号を出力し、前記映像信号処理装置に前記コンポーネント映像信号が入力されたとき、前記第２の色差信号と、前記第２の色差信号を前記第２のフレームメモリにより遅延した遅延第２の色差信号とを用いた３次元処理によって、前記第２の色差信号から画質妨害成分を除去した第４の色差信号を出力する３次元処理回路と、
前記映像信号処理装置に前記コンポジット映像信号が入力されたとき、前記第２の動き検出回路より出力される動き検出信号に応じて、前記第１の色差信号と前記第３の色差信号とを選択的に出力し、前記映像信号処理装置に前記コンポーネント映像信号が入力されたとき、前記第１の動き検出回路より出力される動き検出信号に応じて、前記第２の色差信号と前記第４の色差信号とを選択的に出力する第２のセレクタとを備えて構成したことを特徴とする映像信号処理装置。
【請求項３】
前記２次元Ｙ／Ｃ分離回路は、前記コンポジット映像信号より前記第１の輝度信号を分離して出力する第１の２次元Ｙ／Ｃ分離回路と、前記コンポジット映像信号より前記色信号を分離して出力する第２の２次元Ｙ／Ｃ分離回路とを有することを特徴とする請求項１または２に記載の映像信号処理装置。
【請求項４】
前記第１の２次元Ｙ／Ｃ分離回路と前記第２の２次元Ｙ／Ｃ分離回路とはフィルタ特性が異なることを特徴とする請求項３記載の映像信号処理装置。
【請求項５】
前記第１の動き検出回路と前記第２の動き検出回路とは互いに連携して動き検出信号を発生することを特徴とする請求項１または２に記載の映像信号処理装置。
【請求項６】
前記コンポジット映像信号はＮＴＳＣ信号であり、前記第１のフレームメモリは前記コンポジット映像信号を１フレーム期間遅延し、前記第２のフレームメモリは前記第１の色差信号を１フレーム期間遅延することを特徴とする請求項１または２に記載の映像信号処理装置。
【請求項７】
前記コンポジット映像信号はＰＡＬ信号であり、前記第１のフレームメモリは前記コンポジット映像信号を２フレーム期間遅延し、前記第２のフレームメモリは前記第１の色差信号を２フレーム期間遅延することを特徴とする請求項１または２に記載の映像信号処理装置。
【請求項８】
前記コンポジット映像信号はＮＴＳＣ信号またはＰＡＬ信号であり、
前記映像信号処理装置に前記コンポジット映像信号としてＮＴＳＣ信号が入力されたとき、前記第１のフレームメモリより前記コンポジット映像信号を１フレーム期間遅延した１フレーム遅延コンポジット映像信号を取り出し、前記第２のフレームメモリより前記第１の色差信号を１フレーム期間遅延した１フレーム遅延色差信号を取り出すよう制御し、前記映像信号処理装置に前記コンポジット映像信号としてＰＡＬ信号が入力されたとき、前記第１のフレームメモリより前記コンポジット映像信号を２フレーム期間遅延した２フレーム遅延コンポジット映像信号を取り出し、前記第２のフレームメモリより前記第１の色差信号を２フレーム期間遅延した２フレーム遅延色差信号を取り出すよう制御する制御手段を備えて構成したことを特徴とする請求項１または２に記載の映像信号処理装置。
【発明の詳細な説明】
【技術分野】
【０００１】
本発明は、コンポジット映像信号またはコンポーネント映像信号を入力映像信号とする映像信号処理装置に係り、特に、コンポジット映像信号及びコンポーネント映像信号の画質妨害成分を除去して画質を向上させることができる映像信号処理装置に関する。
【背景技術】
【０００２】
画像表示装置に入力する映像信号としては、ＮＴＳＣ信号やＰＡＬ信号等の輝度（Ｙ）信号と色（Ｃ）信号とが複合されたコンポジット映像信号と、輝度信号と色信号または色差信号とが分離されたコンポーネント映像信号とがある。コンポジット映像信号を入力映像信号とする際には、輝度信号と色信号とを精度よく分離しないと、輝度信号に色信号成分が混入するドット妨害や、色信号に輝度信号が混入するクロスカラー妨害が発生してしまう。そこで、これらのドット妨害やクロスカラー妨害がなく、高画質の映像を表示するには、輝度信号と色信号とを精度よく分離する必要がある。
【０００３】
輝度信号と色信号とを精度よく分離するため、フレーム相関を利用した動き適応型３次元Ｙ／Ｃ分離回路が用いられている。動き適応型３次元Ｙ／Ｃ分離回路は、動画部分についてはライン相関を利用した２次元処理を行い、静止画部分についてはフレーム相関を利用した３次元処理を行って、輝度信号と色信号とを分離するものである。
【０００４】
図５は、コンポジット映像信号及びコンポーネント映像信号を入力映像信号とし、３次元Ｙ／Ｃ分離回路を備えた一般的な映像信号処理装置の概略構成を示すブロック図である。図５において、入力端子１にはコンポジット映像信号が入力され、入力端子２にはコンポーネント映像信号が入力される。コンポジット映像信号は動き適応型３次元Ｙ／Ｃ分離回路３に入力され、３次元Ｙ／Ｃ分離回路３はフレームメモリ４によってフレーム遅延させた信号を用いて３次元Ｙ／Ｃ分離を行う。ここでは３次元Ｙ／Ｃ分離回路３及びフレームメモリ４を極めて簡略化して概念的に図示している。３次元Ｙ／Ｃ分離回路３より出力された輝度信号Ｙと色信号Ｃは色復調回路５に入力される。色復調回路５は色信号Ｃを色復調して色差信号ＣＤに変換し、さらに輝度信号Ｙを遅延させて輝度信号Ｙと色差信号ＣＤとの時間合わせを行って出力する。
【０００５】
色復調回路５より出力された輝度信号Ｙと色差信号ＣＤはスイッチ６の端子ａを介して出力端子７へと供給される。出力端子７より出力された輝度信号Ｙと色差信号ＣＤは図示していない他の信号処理回路へと供給されて、表示部にて表示されることとなる。入力端子２に入力されたコンポーネント映像信号（輝度信号Ｙと色差信号ＣＤ）は３次元Ｙ／Ｃ分離回路３及び色復調回路５での処理を施す必要はないので、スイッチ６の端子ｂを介して出力端子７へと供給される。図示していない制御部によって、スイッチ６が、入力映像信号がコンポジット映像信号であれば端子ａを選択し、入力映像信号がコンポーネント映像信号であれば端子ｂを選択するよう切り換える。
【０００６】
なお、コンポジット映像信号の画質を向上させる公知例としては、一例として下記の特許文献１に記載のものがある。
【特許文献１】特開２００３−７００１８号公報
【発明の開示】
【発明が解決しようとする課題】
【０００７】
ＮＴＳＣ信号やＰＡＬ信号における色信号はフレーム周期で位相が回転している。ＮＴＳＣ信号であれば１フレームで１８０°、ＰＡＬ信号であれば２フレームで１８０°位相が回転する。画像の動きを検出するには、色信号の位相が一致しているフレームどうしで演算を行う必要がある。図５のような従来の構成においては、ＮＴＳＣ信号であれば現フレームと２フレーム遅延したフレームとで画像の動きを検出し、ＰＡＬ信号であれば現フレームと４フレーム遅延したフレームとで画像の動きを検出することが必要となる。
【０００８】
従って、図５に示す従来の映像信号処理装置においては、画像の動き検出の際に検出誤差が発生しやすいという問題点があった。
【０００９】
コンポーネント映像信号は本来輝度信号と色差信号とが分離された信号であるためドット妨害成分やクロスカラー妨害成分はないはずであるが、デジタル放送等において放送局から送信されるハイビジョン（ＨＤ）信号を含むコンポーネント映像信号は、ＮＴＳＣ信号等のスタンダード（ＳＤ）信号をアップコンバートした信号であったり、放送局での蓄積や編集過程において一旦コンポジット映像信号に変換された後コンポーネント映像信号に戻された信号である場合がある。このようなコンポーネント映像信号は、ドット妨害成分やクロスカラー妨害成分を多く含むことがある。
【００１０】
図５に示す従来の映像信号処理装置においては、ドット妨害成分やクロスカラー妨害成分を含むコンポーネント映像信号に対しては３次元処理を行うことができないので、ドット妨害やクロスカラー妨害が発生してしまうという問題点があった。図５の構成において、コンポーネント映像信号に対しても３次元処理を行うよう回路を追加すればドット妨害成分やクロスカラー妨害成分を取り除くことが可能であるが、回路規模が増大し、大幅なコストアップとなってしまう。
【００１１】
本発明はこのような問題点に鑑みなされたものであり、コンポジット映像信号における画像の動き検出の精度を向上させることができ、コンポジット映像信号より分離した輝度信号と色信号（色差信号）の画質を向上させることができる映像信号処理装置を提供することを目的とする。
【００１２】
また、回路規模の増大やコストアップを最小限に抑えつつ、コンポジット映像信号とコンポーネント映像信号とを選択的に入力して処理することができる映像信号処理装置を提供することを目的とする。
【００１３】
さらに、回路規模の増大やコストアップを最小限に抑えつつ、入力映像信号が画質妨害成分（ドット妨害成分やクロスカラー妨害成分）を含むコンポーネント映像信号であっても画質妨害成分を取り除くことができ、コンポジット映像信号及びコンポーネント映像信号の画質を向上させることができる映像信号処理装置を提供することを目的とする。
【課題を解決するための手段】
【００１４】
本発明は、上述した従来の技術の課題を解決するため、コンポジット映像信号を処理する映像信号処理装置において、前記コンポジット映像信号を第１の輝度信号と色信号とに分離して出力する２次元Ｙ／Ｃ分離回路（１４１，１４２，１４３）と、前記コンポジット映像信号を所定フレーム期間遅延して出力する第１のフレームメモリ（１３１，１３２，１３３）と、前記第１の輝度信号における画像の動きを検出する第１の動き検出回路（１８１，１８２，１８３）と、前記コンポジット映像信号と、前記コンポジット映像信号を前記第１のフレームメモリにより遅延した遅延コンポジット映像信号とを用いた３次元処理によって、前記コンポジット映像信号より前記第１の輝度信号と比較して画質妨害成分を除去した第２の輝度信号を分離して出力する３次元Ｙ／Ｃ分離回路（１５１，１５２，１５３）と、前記第１の動き検出回路より出力される動き検出信号に応じて、前記第１の輝度信号と前記第２の輝度信号とを選択的に出力する第１のセレクタ（１９１，１９２，１９３）と、前記色信号を色復調して第１の色差信号を出力する色復調回路（２２１，２２２，２２３）と、前記第１の色差信号を所定フレーム期間遅延して出力する第２のフレームメモリ（２４１，２４２，２４３）と、前記第１の色差信号における画像の動きを検出する第２の動き検出回路（２６１，２６２，２６３）と、前記第１の色差信号と、前記第１の色差信号を前記第２のフレームメモリにより遅延した遅延第１の色差信号とを用いた３次元処理によって、前記第１の色差信号から画質妨害成分を除去した第２の色差信号を出力する３次元処理回路（２５１，２５２，２５３）と、前記第２の動き検出回路より出力される動き検出信号に応じて、前記第１の色差信号と前記第２の色差信号とを選択的に出力する第２のセレクタ（２７１，２７２，２７３）とを備えて構成したことを特徴とする映像信号処理装置を提供する。
【００１５】
また、コンポジット映像信号とコンポーネント映像信号とを選択的に入力する映像信号処理装置において、前記コンポジット映像信号を第１の輝度信号と色信号とに分離して出力する２次元Ｙ／Ｃ分離回路（１４１，１４２，１４３）と、前記コンポジット映像信号または前記コンポーネント映像信号を構成する第２の輝度信号を所定フレーム期間遅延して出力する第１のフレームメモリ（１３１，１３２，１３３）と、前記第１の輝度信号における画像の動きまたは前記第２の輝度信号における画像の動きを検出する第１の動き検出回路（１８１，１８２，１８３）と、前記映像信号処理装置に前記コンポジット映像信号が入力されたとき、前記コンポジット映像信号と、前記コンポジット映像信号を前記第１のフレームメモリにより遅延した遅延コンポジット映像信号とを用いた３次元処理によって、前記コンポジット映像信号より第３の輝度信号を分離して出力し、前記映像信号処理装置に前記コンポーネント映像信号が入力されたとき、前記第２の輝度信号と、前記第２の輝度信号を前記第１のフレームメモリにより遅延した遅延第２の輝度信号とを用いた３次元処理によって、前記第２の輝度信号から画質妨害成分を除去した第４の輝度信号を出力する３次元Ｙ／Ｃ分離回路（１５１，１５２，１５３）と、前記映像信号処理装置に前記コンポジット映像信号が入力されたとき、前記第１の動き検出回路より出力される動き検出信号に応じて、前記第１の輝度信号と前記第３の輝度信号とを選択的に出力し、前記映像信号処理装置に前記コンポーネント映像信号が入力されたとき、前記第１の動き検出回路より出力される動き検出信号に応じて、前記第２の輝度信号と前記第４の輝度信号とを選択的に出力する第１のセレクタ（１９１，１９２，１９３）と、前記色信号を色復調して第１の色差信号を出力する色復調回路（２２１，２２２，２２３）と、前記第１の色差信号または前記コンポーネント映像信号を構成する第２の色差信号を所定フレーム期間遅延して出力する第２のフレームメモリ（２４１，２４２，２４３）と、前記第１の色差信号における画像の動きまたは前記第２の色差信号における画像の動きを検出する第２の動き検出回路（２６１，２６２，２６３）と、前記映像信号処理装置に前記コンポジット映像信号が入力されたとき、前記第１の色差信号と、前記第１の色差信号を前記第２のフレームメモリにより遅延した遅延第１の色差信号とを用いた３次元処理によって、前記第１の色差信号から画質妨害成分を除去した第３の色差信号を出力し、前記映像信号処理装置に前記コンポーネント映像信号が入力されたとき、前記第２の色差信号と、前記第２の色差信号を前記第２のフレームメモリにより遅延した遅延第２の色差信号とを用いた３次元処理によって、前記第２の色差信号から画質妨害成分を除去した第４の色差信号を出力する３次元処理回路（２５１，２５２，２５３）と、前記映像信号処理装置に前記コンポジット映像信号が入力されたとき、前記第２の動き検出回路より出力される動き検出信号に応じて、前記第１の色差信号と前記第３の色差信号とを選択的に出力し、前記映像信号処理装置に前記コンポーネント映像信号が入力されたとき、前記第１の動き検出回路より出力される動き検出信号に応じて、前記第２の色差信号と前記第４の色差信号とを選択的に出力する第２のセレクタ（２７１，２７２，２７３）とを備えて構成したことを特徴とする映像信号処理装置を提供する。
【００１６】
ここで、前記２次元Ｙ／Ｃ分離回路は、前記コンポジット映像信号より前記第１の輝度信号を分離して出力する第１の２次元Ｙ／Ｃ分離回路と、前記コンポジット映像信号より前記色信号を分離して出力する第２の２次元Ｙ／Ｃ分離回路とを有することが好ましい。
【００１７】
前記第１の２次元Ｙ／Ｃ分離回路と前記第２の２次元Ｙ／Ｃ分離回路とはフィルタ特性が異なることが好ましい。
【００１８】
また、前記第１の動き検出回路と前記第２の動き検出回路とは互いに連携して動き検出信号を発生することが好ましい。
【００１９】
以上の構成において、前記コンポジット映像信号はＮＴＳＣ信号であり、前記第１のフレームメモリは前記コンポジット映像信号を１フレーム期間遅延し、前記第２のフレームメモリは前記第１の色差信号を１フレーム期間遅延する。または、前記コンポジット映像信号はＰＡＬ信号であり、前記第１のフレームメモリは前記コンポジット映像信号を２フレーム期間遅延し、前記第２のフレームメモリは前記第１の色差信号を２フレーム期間遅延する。
【００２０】
好ましい実施形態として、前記コンポジット映像信号はＮＴＳＣ信号またはＰＡＬ信号であり、前記映像信号処理装置に前記コンポジット映像信号としてＮＴＳＣ信号が入力されたとき、前記第１のフレームメモリより前記コンポジット映像信号を１フレーム期間遅延した１フレーム遅延コンポジット映像信号を取り出し、前記第２のフレームメモリより前記第１の色差信号を１フレーム期間遅延した１フレーム遅延色差信号を取り出すよう制御し、前記映像信号処理装置に前記コンポジット映像信号としてＰＡＬ信号が入力されたとき、前記第１のフレームメモリより前記コンポジット映像信号を２フレーム期間遅延した２フレーム遅延コンポジット映像信号を取り出し、前記第２のフレームメモリより前記第１の色差信号を２フレーム期間遅延した２フレーム遅延色差信号を取り出すよう制御する制御手段を備える。
【発明の効果】
【００２１】
本発明の映像信号処理装置によれば、コンポジット映像信号における画像の動き検出の精度を向上させることができ、コンポジット映像信号より分離した輝度信号と色信号（色差信号）の画質を向上させることができる。
【００２２】
また、回路規模の増大やコストアップを最小限に抑えつつ、コンポジット映像信号とコンポーネント映像信号とを選択的に入力して処理することができる。
【００２３】
さらに、回路規模の増大やコストアップを最小限に抑えつつ、入力映像信号が画質妨害成分（ドット妨害成分やクロスカラー妨害成分）を含むコンポーネント映像信号であっても画質妨害成分を取り除くことができ、コンポジット映像信号及びコンポーネント映像信号の画質を向上させることができる。
【発明を実施するための最良の形態】
【００２４】
以下、本発明の映像信号処理装置について、添付図面を参照して説明する。図１は本発明の映像信号処理装置の第１実施形態を示すブロック図、図２は図１中の３次元Ｙ／Ｃ分離回路１５１及び３次元処理回路２５１の具体的構成例を示すブロック図、図３は本発明の映像信号処理装置の第２実施形態を示すブロック図、図４は本発明の映像信号処理装置の第３実施形態を示すブロック図である。
＜第１実施形態＞
図１に示す第１実施形態は、コンポジット映像信号とコンポーネント映像信号が選択的に入力され、入力されるコンポジット映像信号がＮＴＳＣ信号である場合の実施形態である。図１において、入力映像信号がＮＴＳＣコンポジット映像信号Ｖｎ０である場合には、コンポジット映像信号Ｖｎ０は入力端子１１１を介して第１実施形態の映像信号処理装置に入力される。入力映像信号がコンポーネント映像信号である場合には、コンポーネント映像信号を構成する輝度信号と色差信号（例えばＰｂ，Ｐｒ）の内、輝度信号Ｙ０は入力端子１２１を介して第１実施形態の映像信号処理装置に入力され、色差信号Ｐｂ，Ｐｒは入力端子２８１，２９１を介して第１実施形態の映像信号処理装置に入力される。
【００２５】
第１実施形態の映像信号処理装置における特徴の１つは、輝度信号を処理する輝度信号処理部１１Ｙと、色差信号を処理する色差信号処理部１１CDとを設け、輝度信号と色差信号とを別々に処理する点である。
【００２６】
まず、コンポジット映像信号Ｖｎ０を入力端子１１１に入力する場合の動作について説明する。入力端子１１１に入力されたコンポジット映像信号Ｖｎ０は、フレームメモリであるダイナミック・ランダム・アクセス・メモリ（ＤＲＡＭ）１３１と２次元Ｙ／Ｃ分離回路１４１と３次元Ｙ／Ｃ分離回路１５１とに入力される。ＤＲＡＭ１３１に書き込まれたコンポジット映像信号Ｖｎ０は、１フレーム期間遅延されて１フレーム遅延コンポジット映像信号Ｖｎ01として出力される。
【００２７】
２次元Ｙ／Ｃ分離回路１４１はコンポジット映像信号Ｖｎ０より２次元処理によって輝度信号Ｙｎ２を分離して出力する。２次元Ｙ／Ｃ分離回路１４１としては、一例として、水平バンドパスフィルタ（水平ＢＰＦ）と垂直バンドパスフィルタ（垂直ＢＰＦ）とを備え、水平方向のスペクトル分布を検出して水平ＢＰＦの出力と垂直ＢＰＦの出力とを混合するものを採用することができる。３次元Ｙ／Ｃ分離回路１５１はコンポジット映像信号Ｖｎ０と１フレーム遅延コンポジット映像信号Ｖｎ01とを用いた３次元処理によって輝度信号Ｙｎ３を分離して出力する。
【００２８】
３次元Ｙ／Ｃ分離回路１５１は、図２（Ａ）に示すように、コンポジット映像信号Ｖｎ０と１フレーム遅延コンポジット映像信号Ｖｎ01とを加算する加算器１５１と、加算器1511の出力を１／２にする除算器1512とより構成される。
【００２９】
ＮＴＳＣコンポジット映像信号Ｖｎ０では、静止画領域においてドット妨害成分を除く本来の輝度信号成分はコンポジット映像信号Ｖｎ０と１フレーム遅延コンポジット映像信号Ｖｎ01とで同位相である。これに対し、ドット妨害成分はコンポジット映像信号Ｖｎ０と１フレーム遅延コンポジット映像信号Ｖｎ01とで逆位相である。加算器1511によってコンポジット映像信号Ｖｎ０と１フレーム遅延コンポジット映像信号Ｖｎ01とを加算することによって、輝度信号成分に含まれているドット妨害成分のみを相殺して除去することができる。従って、３次元Ｙ／Ｃ分離回路１５１より出力される輝度信号Ｙｎ３はドット妨害成分が除去された輝度信号である。
【００３０】
２次元Ｙ／Ｃ分離回路１４１より出力された輝度信号Ｙｎ２はローパスフィルタ（ＬＰＦ）１６１に入力される。ＬＰＦ１６１は色信号成分を確実に除去するためのものであり、場合によっては省略可能である。ＤＲＡＭ１３１より出力された１フレーム遅延コンポジット映像信号Ｖｎ01はＬＰＦ１７１に入力されて低域成分が抽出される。これにより、１フレーム遅延コンポジット映像信号Ｖｎ01は実質的に輝度信号成分のみとなる。ＬＰＦ１６１，１７１より出力された輝度信号Ｙｎ２の１フレーム遅延コンポジット映像信号Ｖｎ01の輝度信号成分は動き検出回路１８１に入力される。動き検出回路１８１は入力された輝度信号Ｙｎ２と１フレーム遅延コンポジット映像信号Ｖｎ01の輝度信号成分とを用いて画像に動きがあるか否かを検出する。動き検出回路１８１より出力された動き検出信号はセレクタ１９１に供給される。
【００３１】
好ましい実施形態として、輝度信号処理部１１Ｙ内の動き検出回路１８１と後述する色差信号処理部１１CD内の動き検出回路２６１とは、一点鎖線にて連結しているように、連携して画像に動きがあるか否かを最終的に判断するようにしている。即ち、動き検出回路１８１は動き検出回路１８１における動き検出結果と動き検出回路２６１における動き検出結果との双方に基づいて、最終的に動きがあるかないかを示す動き検出信号を発生する。
【００３２】
２次元Ｙ／Ｃ分離回路１４１より出力された輝度信号Ｙｎ２と３次元Ｙ／Ｃ分離回路１５１より出力された輝度信号Ｙｎ３はセレクタ１９１に入力される。セレクタ１９１は、動き検出回路１８１より供給された動き検出信号に応じて、輝度信号Ｙｎ２と輝度信号Ｙｎ３とを選択的に出力する。即ち、動き検出信号が画像に動きがあることを示す場合には２次元Ｙ／Ｃ分離による輝度信号Ｙｎ２を選択し、動き検出信号が画像に動きがないことを示す場合には３次元Ｙ／Ｃ分離による輝度信号Ｙｎ３を選択する。
【００３３】
セレクタ１９１より出力された輝度信号Ｙｎ２またはＹｎ３は出力端子２０１より出力される。
【００３４】
一方、入力端子１１１に入力されたコンポジット映像信号Ｖｎ０は、２次元Ｙ／Ｃ分離回路２１１にも入力される。２次元Ｙ／Ｃ分離回路２１１はコンポジット映像信号Ｖｎ０より２次元処理によって色信号Ｃｎ２を分離して出力する。２次元Ｙ／Ｃ分離回路２１１は色差信号処理部１１CDに供給する色差信号を生成するための色信号Ｃｎ２を得るためのものである。コンポジット映像信号Ｖｎ０から２次元Ｙ／Ｃ分離によって輝度信号と色信号とを分離するに際し、色信号を分離するための回路構成は輝度信号を分離するための回路構成と比較して簡易なものでよい。従って、２次元Ｙ／Ｃ分離回路２１１は２次元Ｙ／Ｃ分離回路１４１よりも簡易な構成とすることができる。
【００３５】
２次元Ｙ／Ｃ分離回路２１１としては、一例として、水平ＢＰＦを備え、水平ＢＰＦの出力に対して垂直ロジカルコムフィルタをかけるものを採用することができる。ここでは、２次元Ｙ／Ｃ分離回路１４１と２次元Ｙ／Ｃ分離回路２１１とを別々に設けているが、１つの２次元Ｙ／Ｃ分離回路によって輝度信号Ｙｎ２と色信号Ｃｎ２とを分離するよう構成することもできる。
【００３６】
２次元Ｙ／Ｃ分離回路２１１より出力された色信号Ｃｎ２は色復調回路２２１に入力されてベースバンドの色差信号Ｒ−Ｙ，Ｂ−Ｙとされる。色復調回路２２１より出力された色差信号Ｒ−Ｙ，Ｂ−Ｙはパラレル・シリアル（ＰＳ）変換回路２３１に入力されて、シリアル信号の色差信号ＣＤn0として出力される。ＰＳ変換回路２３１は信号処理の都合上設けているものであり、必ずしも必要ではない。色差信号ＣＤn0はフレームメモリであるＤＲＡＭ２４１と３次元処理回路２５１と動き検出回路２６１とセレクタ２７１とに入力される。
【００３７】
ＤＲＡＭ２４１に書き込まれた色差信号ＣＤn0は、１フレーム期間遅延されて１フレーム遅延色差信号ＣＤn01として出力される。１フレーム遅延色差信号ＣＤn01は３次元処理回路２５１と動き検出回路２６１とに入力される。
【００３８】
３次元処理回路２５１は色差信号ＣＤn0と１フレーム遅延色差信号ＣＤn01とを用いた３次元処理によって色差信号ＣＤn3を出力する。３次元処理回路２５１は、図２（Ｂ）に示すように、色差信号ＣＤn0と１フレーム遅延色差信号ＣＤn01とを加算する加算器2511と、加算器2511の出力を１／２にする除算器2512とより構成される。
【００３９】
ＮＴＳＣコンポジット映像信号Ｖｎ０では、静止画領域においてクロスカラー妨害成分を除く本来の色差信号成分は色差信号ＣＤn0と１フレーム遅延色差信号ＣＤn01とで同位相である。これに対し、クロスカラー妨害成分は色差信号ＣＤn0と１フレーム遅延色差信号ＣＤn01とで逆位相である。加算器2511によって色差信号ＣＤn0と１フレーム遅延色差信号ＣＤn01とを加算することによって、色差信号成分に含まれているクロスカラー妨害成分のみを相殺して除去することができる。従って、３次元処理回路２５１より出力される色差信号ＣＤn3はクロスカラー妨害成分が除去された色差信号である。
【００４０】
動き検出回路２６１は、入力された色差信号ＣＤn0と１フレーム遅延色差信号ＣＤn01とを用いて画像に動きがあるか否かを検出する。動き検出回路２６１より出力された動き検出信号はセレクタ２７１に供給される。
【００４１】
前述のように、好ましい実施形態として、動き検出回路２６１は動き検出回路１８１と連携して画像に動きがあるか否かを最終的に判断するようにしている。即ち、動き検出回路２６１は動き検出回路１８１における動き検出結果と動き検出回路２６１における動き検出結果との双方に基づいて、最終的に動きがあるかないかを示す動き検出信号を発生する。
【００４２】
ＰＳ変換回路２３１より出力された色差信号ＣＤn0と３次元処理回路２５１より出力された色差信号ＣＤn3はセレクタ２７１に入力される。セレクタ２７１は、動き検出回路２６１より供給された動き検出信号に応じて、色差信号ＣＤn0と色差信号ＣＤn3とを選択的に出力する。即ち、動き検出信号が画像に動きがあることを示す場合には２次元Ｙ／Ｃ分離による色差信号ＣＤn0を選択し、動き検出信号が画像に動きがないことを示す場合には色差信号ＣＤn0を３次元処理した色差信号ＣＤn3を選択する。
【００４３】
セレクタ２７１より出力された色差信号ＣＤn0または色差信号ＣＤn3は出力端子３０１より出力される。
【００４４】
ところで、ＮＴＳＣコンポジット映像信号における色信号は１フレームで１８０°位相がずれ、画像の動き検出を行うには位相の一致する２フレーム間で演算を行うことが必要となる。従って、輝度信号処理部１１Ｙと色差信号処理部１１CDとを分けて設けない構成では、ＮＴＳＣコンポジット映像信号を２フレーム遅延させる必要がある。
【００４５】
しかしながら、第１実施形態の映像信号処理装置では、輝度信号処理部１１Ｙと色差信号処理部１１CDとを分けて設け、色信号Ｃｎ２をベースバンドの色差信号ＣＤn0に変換して画像の動きを検出している。従って、画像の動き検出は１フレーム間で演算を行えばよい。１フレーム間の動き検出によって動きの速い画像の動きも精度よく検出することができ、コンポジット映像信号の画質を向上させることが可能となる。
【００４６】
次に、コンポーネント映像信号の輝度信号Ｙ０を入力端子１２１に入力し、色差信号Ｐｂ，Ｐｒを入力端子２８１，２９１に入力する場合の動作について説明する。入力端子１２１に入力された輝度信号Ｙ０は、ＤＲＡＭ１３１と３次元Ｙ／Ｃ分離回路１５１とＬＰＦ１６１とに入力される。ＤＲＡＭ１３１に書き込まれた輝度信号Ｙ０は、１フレーム期間遅延されて１フレーム遅延輝度信号Ｙ０１として出力される。
【００４７】
第１実施形態の映像信号処理装置における他の特徴の１つは、そもそも輝度信号と色差信号とが分離されているコンポーネント映像信号の輝度信号Ｙ０を３次元Ｙ／Ｃ分離回路１５１に入力している点である。３次元Ｙ／Ｃ分離回路１５１の加算器1511は、図２（Ａ）に示すように、輝度信号Ｙ０と１フレーム遅延輝度信号Ｙ０１とを加算する。この輝度信号Ｙ０に対する３次元処理によって、３次元Ｙ／Ｃ分離回路１５１からはドット妨害成分が除去された輝度信号Ｙ３が得られる。
【００４８】
動き検出回路１８１は、ＬＰＦ１６１を経て入力された輝度信号Ｙ０とＬＰＦ１７１を経て入力された１フレーム遅延輝度信号Ｙ０１とに基づいて画像に動きがあるか否かを検出する。輝度信号Ｙ０と３次元Ｙ／Ｃ分離回路１５１より出力された輝度信号Ｙ３はセレクタ１９１に入力される。セレクタ１９１は、動き検出回路１８１より供給された動き検出信号に応じて、輝度信号Ｙ０と輝度信号Ｙ３とを選択的に出力する。即ち、動き検出信号が画像に動きがあることを示す場合には輝度信号Ｙ０を選択し、動き検出信号が画像に動きがないことを示す場合には３次元Ｙ／Ｃ分離回路１５１によって３次元処理した輝度信号Ｙ３を選択する。
【００４９】
セレクタ１９１より出力された輝度信号Ｙ０またはＹ３は出力端子２０１より出力される。
【００５０】
一方、入力端子２８１，２９１に入力された色差信号Ｐｂ，ＰｒはＰＳ変換回路２３１に入力され、シリアル信号の色差信号ＣＤ０として出力される。色差信号ＣＤ０はＤＲＡＭ２４１と３次元処理回路２５１と動き検出回路２６１とセレクタ２７１とに入力される。ＤＲＡＭ２４１に書き込まれた色差信号ＣＤ０は、１フレーム期間遅延されて１フレーム遅延色差信号ＣＤ01として出力される。１フレーム遅延色差信号ＣＤ01は３次元処理回路２５１と動き検出回路２６１とに入力される。
【００５１】
３次元処理回路２５１は色差信号ＣＤ０と１フレーム遅延色差信号ＣＤ01とを用いた３次元処理によって色差信号ＣＤ３を出力する。３次元処理回路２５１の加算器2511は、図２（Ｂ）に示すように、色差信号ＣＤ０と１フレーム遅延色差信号ＣＤ01とを加算する。この色差信号ＣＤ０に対する３次元処理によって、３次元処理回路２５１からはクロスカラー妨害成分が除去された色差信号ＣＤ３が得られる。
【００５２】
動き検出回路２６１は、入力された色差信号ＣＤ０と１フレーム遅延色差信号ＣＤ01とを用いて画像に動きがあるか否かを検出する。色差信号ＣＤ０と３次元処理回路２５１より出力された色差信号ＣＤ３はセレクタ２７１に入力される。セレクタ２７１は、動き検出回路２６１より供給された動き検出信号に応じて、色差信号ＣＤ０と色差信号ＣＤ３とを選択的に出力する。即ち、動き検出信号が画像に動きがあることを示す場合には色差信号ＣＤ０を選択し、動き検出信号が画像に動きがないことを示す場合には色差信号ＣＤ０を３次元処理した色差信号ＣＤ３を選択する。
【００５３】
セレクタ２７１より出力された色差信号ＣＤ０または色差信号ＣＤ３は出力端子３０１より出力される。
【００５４】
第１実施形態の映像信号処理装置においては、コンポジット映像信号Ｖｎ０だけでなく、コンポーネント映像信号として入力された輝度信号Ｙ０に対しても３次元処理を行うので、ドット妨害成分を含むコンポーネント映像信号が入力された場合でも静止画領域においてドット妨害成分を除去することができる。また、コンポジット映像信号Ｖｎ０を分離して得た色差信号だけでなく、コンポーネント映像信号として入力された色差信号Ｐｂ，Ｐｒに対しても３次元処理を行うので、クロスカラー妨害成分を含むコンポーネント映像信号が入力された場合でも静止画領域においてクロスカラー妨害成分を除去することができる。
【００５５】
よって、第１実施形態の映像信号処理装置によれば、コンポーネント映像信号の画質を向上させることができる。
＜第２実施形態＞
図３に示す第２実施形態は、入力されるコンポジット映像信号がＰＡＬ信号である場合の実施形態である。図３において、入力映像信号がＰＡＬコンポジット映像信号Ｖｐ０である場合には、コンポジット映像信号Ｖｐ０は入力端子１１２を介して第２実施形態の映像信号処理装置に入力される。入力映像信号がコンポーネント映像信号である場合には、コンポーネント映像信号を構成する輝度信号と色差信号（例えばＰｂ，Ｐｒ）の内、輝度信号Ｙ０は入力端子１２２を介して第２実施形態の映像信号処理装置に入力され、色差信号Ｐｂ，Ｐｒは入力端子２８２，２９２を介して第２実施形態の映像信号処理装置に入力される。
【００５６】
第２実施形態の映像信号処理装置の回路構成は、第１実施形態の映像信号処理装置の回路構成とほぼ同じである。但し、第２実施形態の映像信号処理装置におけるＤＲＡＭ１３２，２４２は第１実施形態の映像信号処理装置のＤＲＡＭ１３１，２４１とは異なり、入力信号を２フレーム期間遅延して出力するものである。第２実施形態における輝度信号処理部を１２Ｙ、色差信号処理部を１２CDとしているのを除き、第１実施形態の映像信号処理装置の各構成要素に付した符号の末尾の１を２に置き換えたものを、第２実施形態の映像信号処理装置の各構成要素に付している。
【００５７】
以下、第２実施形態の映像信号処理装置の動作について第１実施形態の映像信号処理装置とは異なる点を中心として説明することとし、共通部分の説明を適宜省略する。なお、コンポーネント映像信号を入力した際の動作は第１実施形態と同じであり、説明を省略する。
【００５８】
ＤＲＡＭ１３２に書き込まれたコンポジット映像信号Ｖｐ０は、２フレーム期間遅延されて２フレーム遅延コンポジット映像信号Ｖｐ02として出力される。２次元Ｙ／Ｃ分離回路１４２はコンポジット映像信号Ｖｐ０より２次元処理によって輝度信号Ｙｐ２を分離して出力する。３次元Ｙ／Ｃ分離回路１５２はコンポジット映像信号Ｖｐ０と２フレーム遅延コンポジット映像信号Ｖｐ02とを用いた３次元処理によって輝度信号Ｙｐ３を分離して出力する。３次元Ｙ／Ｃ分離回路１５２は図２（Ａ）と同様の構成である。
【００５９】
ＰＡＬコンポジット映像信号Ｖｐ０では、静止画領域においてドット妨害成分を除く本来の輝度信号成分はコンポジット映像信号Ｖｐ０と２フレーム遅延コンポジット映像信号Ｖｐ02とで同位相である。これに対し、ドット妨害成分はコンポジット映像信号Ｖｐ０と２フレーム遅延コンポジット映像信号Ｖｐ02とで逆位相である。コンポジット映像信号Ｖｐ０と２フレーム遅延コンポジット映像信号Ｖｐ02とを加算することによって、輝度信号成分に含まれているドット妨害成分のみを相殺して除去することができる。従って、３次元Ｙ／Ｃ分離回路１５２より出力される輝度信号Ｙｐ３はドット妨害成分が除去された輝度信号である。
【００６０】
２次元Ｙ／Ｃ分離回路１４２より出力された輝度信号Ｙｐ２と３次元Ｙ／Ｃ分離回路１５２より出力された輝度信号Ｙｐ３はセレクタ１９２に入力される。セレクタ１９２は、動き検出回路１８２より供給された動き検出信号に応じて、輝度信号Ｙｐ２と輝度信号Ｙｐ３とを選択的に出力する。即ち、動き検出信号が画像に動きがあることを示す場合には２次元Ｙ／Ｃ分離による輝度信号Ｙｐ２を選択し、動き検出信号が画像に動きがないことを示す場合には３次元Ｙ／Ｃ分離による輝度信号Ｙｐ３を選択する。セレクタ１９２より出力された輝度信号Ｙｐ２またはＹｐ３は出力端子２０２より出力される。
【００６１】
一方、２次元Ｙ／Ｃ分離回路２１２はコンポジット映像信号Ｖｐ０より２次元処理によって色信号Ｃｐ２を分離して出力する。２次元Ｙ／Ｃ分離回路２１２より出力された色信号Ｃｐ２は色復調回路２２２に入力されてベースバンドの色差信号Ｒ−Ｙ，Ｂ−Ｙとされる。ＰＳ変換回路２３２より出力されたシリアル信号の色差信号ＣＤp0はＤＲＡＭ２４２に書き込まれて、２フレーム期間遅延されて２フレーム遅延色差信号ＣＤp02として出力される。３次元処理回路２５２は色差信号ＣＤp0と２フレーム遅延色差信号ＣＤp02とを用いた３次元処理によって色差信号ＣＤp3を出力する。３次元処理回路２５２は図２（Ｂ）と同様の構成である。
【００６２】
ＰＡＬコンポジット映像信号Ｖｐ０では、静止画領域においてクロスカラー妨害成分を除く本来の色差信号成分は色差信号ＣＤp0と２フレーム遅延色差信号ＣＤn02とで同位相である。これに対し、クロスカラー妨害成分は色差信号ＣＤp0と２フレーム遅延色差信号ＣＤp02とで逆位相である。色差信号ＣＤp0と２フレーム遅延色差信号ＣＤp02とを加算することによって、色差信号成分に含まれているクロスカラー妨害成分のみを相殺して除去することができる。従って、３次元処理回路２５２より出力される色差信号ＣＤp3はクロスカラー妨害成分が除去された色差信号である。
【００６３】
セレクタ２７２は、動き検出回路２６２より供給された動き検出信号に応じて、色差信号ＣＤp0と色差信号ＣＤp3とを選択的に出力する。即ち、動き検出信号が画像に動きがあることを示す場合には２次元Ｙ／Ｃ分離による色差信号ＣＤp0を選択し、動き検出信号が画像に動きがないことを示す場合には色差信号ＣＤp0を３次元処理した色差信号ＣＤp3を選択する。セレクタ２７２より出力された色差信号ＣＤp0または色差信号ＣＤp3は出力端子３０２より出力される。
【００６４】
ところで、ＰＡＬコンポジット映像信号における色信号は２フレームで１８０°位相がずれ、画像の動き検出を行うには位相の一致する４フレーム間で演算を行うことが必要となる。従って、輝度信号処理部１２Ｙと色差信号処理部１２CDとを分けて設けない構成では、ＰＡＬコンポジット映像信号を４フレーム遅延させる必要がある。
【００６５】
しかしながら、第２実施形態の映像信号処理装置では、輝度信号処理部１２Ｙと色差信号処理部１２CDとを分けて設け、色信号Ｃｐ２をベースバンドの色差信号ＣＤp0に変換して画像の動きを検出している。従って、画像の動き検出は２フレーム間で演算を行えばよい。２フレーム間の動き検出によって動きの速い画像の動きも精度よく検出することができ、コンポジット映像信号の画質を向上させることが可能となる。
【００６６】
第２実施形態の映像信号処理装置においても、コンポジット映像信号Ｖｐ０だけでなく、コンポーネント映像信号として入力された輝度信号Ｙ０に対しても３次元処理を行うので、ドット妨害成分を含むコンポーネント映像信号が入力された場合でも静止画領域においてドット妨害成分を除去することができる。また、コンポジット映像信号Ｖｐ０を分離して得た色差信号だけでなく、コンポーネント映像信号として入力された色差信号Ｐｂ，Ｐｒに対しても３次元処理を行うので、クロスカラー妨害成分を含むコンポーネント映像信号が入力された場合でも静止画領域においてクロスカラー妨害成分を除去することができる。
【００６７】
よって、第２実施形態の映像信号処理装置によれば、コンポーネント映像信号の画質を向上させることができる。
＜第３実施形態＞
図４に示す第３実施形態は、入力されるコンポジット映像信号としてＮＴＳＣ信号とＰＡＬ信号との双方に対応させた実施形態である。入力端子１１３にはＮＴＳＣコンポジット映像信号Ｖｎ０またはＰＡＬコンポジット映像信号Ｖｐ０が選択的に入力されて、第３実施形態の映像信号処理装置に供給されるようになっている。コンポジット映像信号Ｖｎ０とコンポジット映像信号Ｖｐ０とを別々に入力する入力端子と、これらの入力端子に選択的に接続するスイッチとを設け、コンポジット映像信号Ｖｎ０とコンポジット映像信号Ｖｐ０との一方を第３実施形態の映像信号処理装置に入力するよう構成してもよい。
【００６８】
第３実施形態の映像信号処理装置の回路構成の大部分は、第１，第２実施形態の映像信号処理装置の回路構成とほぼ同じである。第３実施形態の映像信号処理装置におけるＤＲＡＭ１３３，２４３は入力信号を２フレーム期間遅延して出力することができるものであり、メモリアクセスの切り換えによって、入力信号を１フレーム期間遅延した出力と入力信号を２フレーム期間遅延した出力とを取り出せることができるものである。また、第３実施形態においては、新たに制御回路３１３を設けている。第３実施形態における輝度信号処理部を１３Ｙ、色差信号処理部を１３CDとしているのを除き、第１実施形態の映像信号処理装置の各構成要素に付した符号の末尾の１を３に置き換えたものを、第３実施形態の映像信号処理装置の各構成要素に付している。
【００６９】
以下、第３実施形態の映像信号処理装置の動作について第１，第２実施形態の映像信号処理装置とは異なる点を中心として説明することとし、共通部分の説明を適宜省略する。なお、コンポーネント映像信号を入力した際の動作は第１，第２実施形態と同じであり、説明を省略する。
【００７０】
図４において、入力端子１１３に入力されたＮＴＳＣコンポジット映像信号Ｖｎ０またはＰＡＬコンポジット映像信号Ｖｐ０は、制御回路３１３にも入力される。制御回路３１３は一例としてマイクロコンピュータであり、入力されたコンポジット映像信号がＮＴＳＣ信号であるのかＰＡＬ信号であるのかを判別する。そして、制御回路３１３は判別結果に基づいて回路各部を制御する。
【００７１】
ＮＴＳＣコンポジット映像信号Ｖｎ０とＰＡＬコンポジット映像信号Ｖｐ０とでは、２次元Ｙ／Ｃ分離を行う際の理想的なフィルタの構成は異なる。そこで、輝度信号処理部１３Ｙの２次元Ｙ／Ｃ分離回路１４３は、ＮＴＳＣコンポジット映像信号Ｖｎ０を２次元Ｙ／Ｃ分離して輝度信号Ｙｎ２を抽出するのに好適なフィルタ1431と、ＰＡＬコンポジット映像信号Ｖｐ０２を次元Ｙ／Ｃ分離して輝度信号Ｙｐ２を抽出するのに好適なフィルタ1432とを備えている。制御回路３１３は、制御信号ＳCTLによって、入力されたコンポジット映像信号がＮＴＳＣ信号であるのかＰＡＬ信号であるかに応じて、フィルタ1431を使用するかフィルタ1432を使用するかを切り換える。
【００７２】
また、色差信号処理部１３CDの２次元Ｙ／Ｃ分離回路２１３は、ＮＴＳＣコンポジット映像信号Ｖｎ０を２次元Ｙ／Ｃ分離して色信号Ｃｎ２を抽出するのに好適なフィルタ2131と、ＰＡＬコンポジット映像信号Ｖｐ０を２次元Ｙ／Ｃ分離して色信号Ｃｐ２を抽出するのに好適なフィルタ2132とを備えている。制御回路３１３は、制御信号ＳCTLによって、入力されたコンポジット映像信号がＮＴＳＣ信号であるのかＰＡＬ信号であるかに応じて、フィルタ2131を使用するかフィルタ2132を使用するかを切り換える。
【００７３】
制御回路３１３は、制御信号ＳCTLによって、入力されたコンポジット映像信号がＮＴＳＣ信号であるのかＰＡＬ信号であるかに応じて、色復調回路２２３における色復調も異ならせる。
【００７４】
さらに、上述した第１実施形態と第２実施形態の説明より分かるように、ＮＴＳＣコンポジット映像信号Ｖｎ０とＰＡＬコンポジット映像信号Ｖｐ０とでは、動き検出回路１８３，２６３と３次元Ｙ／Ｃ分離回路１５３及び３次元処理回路２５３とで使用する遅延信号の遅延量が異なる。
【００７５】
そこで制御回路３１３は、制御信号ＳCTLによって、入力されたコンポジット映像信号がＮＴＳＣ信号であれば、輝度信号処理部１３Ｙ，色差信号処理部１３CDがＤＲＡＭ１３３，２４３より１フレーム遅延コンポジット映像信号Ｖｎ01，１フレーム遅延色差信号ＣＤn01を取り出し、入力されたコンポジット映像信号がＰＡＬ信号であれば、輝度信号処理部１３Ｙ，色差信号処理部１３CDがＤＲＡＭ１３３，２４３より２フレーム遅延コンポジット映像信号Ｖｐ02，２フレーム遅延色差信号ＣＤp02を取り出すようメモリアクセスを切り換える。
【００７６】
制御回路３１３には、第３実施形態の映像信号処理装置をＮＴＳＣコンポジット映像信号Ｖｎ０に合わせた動作とさせるか、ＰＡＬコンポジット映像信号Ｖｐ０に合わせた動作とさせるかを指示する例えばユーザ操作による指示信号ＳINSを入力することができる。指示信号ＳINSによって第３実施形態の映像信号処理装置の動作を切り換えてもよい。
【図面の簡単な説明】
【００７７】
【図１】本発明の第１実施形態を示すブロック図である。
【図２】図１中の３次元Ｙ／Ｃ分離回路１５１及び３次元処理回路２５１の具体的構成例を示すブロック図である。
【図３】本発明の第２実施形態を示すブロック図である。
【図４】本発明の第３実施形態を示すブロック図である。
【図５】従来例を示すブロック図である。
【符号の説明】
【００７８】
１１Ｙ，１２Ｙ，１３Ｙ  輝度信号処理部
１１CD，１２CD，１３CD  色差信号処理部
１３１，１３２，１３３，２４１，２４２，２４３  ダイナミック・ランダム・アクセス・メモリ（フレームメモリ）
１４１，１４２，１４３，２１１，２１２，２１３  ２次元Ｙ／Ｃ分離回路
１５１，１５２，１５３  ３次元Ｙ／Ｃ分離回路
１８１，１８２，１８３，２６１，２６２，２６３  動き検出回路
１９１，１９２，１９３，２７１，２７２，２７３  セレクタ
２２１，２２２，２２３  色復調回路
２５１，２５２，２５３  ３次元処理回路
３１３  制御回路（制御手段）
【図１】
2005176162.tif 000003
【図２】
2005176162.tif 000004
【図３】
2005176162.tif 000005
【図４】
2005176162.tif 000006
【図５】
2005176162.tif 000007